【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
印刷ヘッドに供給されるインクを収容可能な収容部と前記収容部にインクを注入可能なインク注入口とを有するタンクに着脱可能であり、前記タンクに装着された状態で前記インク注入口を閉塞可能なキャップであって、
前記インク注入口を被覆可能な被覆部と、
前記インク注入口に挿入可能に前記被覆部から突出し、前記インク注入口に挿入された状態で前記インク注入口を閉塞するシール部と、
前記被覆部を前記シール部側から見たときに前記シール部の外側に位置し、前記被覆部から前記シール部が突出する方向に、前記被覆部から突出するスカート部と、
前記インク注入口を閉塞するように前記タンクに装着された状態で、前記被覆部から前記インク注入口側と反対側に向かって突出する把持部と、を有し、
前記把持部は板状に形成され、
前記スカート部が、前記シール部よりも突出している、
ことを特徴とするキャップ。
【請求項２】
インクを噴射可能な印刷ヘッドと、
前記印刷ヘッドに供給される前記インクを収容可能な収容部と前記収容部にインクを注入可能なインク注入口とを有するタンクと、
前記タンクの前記インク注入口を除いた部分の少なくとも一部を覆う筐体と、
前記タンクの前記インク注入口に装着された状態で前記インク注入口を閉塞可能なキャップを載置可能な受け皿と、を有し、
前記受け皿が、前記筐体に設けられている、
ことを特徴とするプリンター。
【請求項３】
請求項２に記載のプリンターにおいて、
前記受け皿が、前記筐体に着脱可能に構成されている、
ことを特徴とするプリンター。
【請求項４】
請求項２又は３に記載のプリンターにおいて、
前記受け皿は、
前記キャップを載置可能な載置面と、
前記受け皿の使用姿勢において前記載置面から上方に突出し、前記載置面を区画する隔壁と、を有し、
前記使用姿勢において、
前記載置面は、傾斜しており、
前記隔壁は、前記載置面の傾斜における高低で前記載置面を高い領域と低い領域との２つの領域に区分したとき、少なくとも前記低い領域に設けられている、
ことを特徴とするプリンター。
【請求項５】
請求項４に記載のプリンターにおいて、
前記受け皿の前記載置面に、前記載置面から上方に突出し、前記キャップを載置可能なリブが設けられている、
ことを特徴とするプリンター。
【請求項６】
請求項５に記載のプリンターにおいて、
前記リブは、前記載置面の前記低い領域に設けられており、
前記キャップを前記載置面に載置したときに、前記キャップのうち前記タンクの前記インク注入口に挿入可能なシール部が、前記リブとの間に隙間を設けた領域に位置する、
ことを特徴とするプリンター。
【請求項７】
請求項２から６のいずれか一項に記載のプリンターにおいて、
前記プリンターの使用姿勢で前記プリンターを鉛直上方から見たとき、
前記受け皿と前記インク注入口とが、前記プリンターの一辺に沿った第１方向に並んでいる、
ことを特徴とするプリンター。
【請求項８】
請求項７に記載のプリンターにおいて、
前記キャップに設けられた係留部を係留可能な接続部を有し、
前記プリンターの使用姿勢で前記プリンターを鉛直上方から見たとき、前記接続部の前記第１方向に沿った位置が、前記受け皿の前記第１方向に沿った位置と前記インク注入口の前記第１方向に沿った位置との間にある、
ことを特徴とするプリンター。
【請求項９】
請求項８に記載のプリンターにおいて、
前記プリンターの使用姿勢で前記プリンターを鉛直上方から見たとき、前記接続部の前記第１方向に沿った位置が、前記受け皿の前記第１方向に沿った中心位置と前記インク注入口の前記第１方向に沿った中心位置との間にある、
ことを特徴とするプリンター。
【請求項１０】
請求項８又は９に記載のプリンターにおいて、
前記プリンターの使用姿勢で前記プリンターを鉛直上方から見たとき、
前記インク注入口が前記プリンターの領域の内側に位置しており、
前記第１方向に交差し前記一辺から前記インク注入口に向かう方向を第２方向として、
前記筐体は、前記インク注入口よりも前記第２方向に位置する側壁を有し、
前記側壁は、上方から下方に下降するにつれて前記第２方向に向かって傾斜する傾斜壁を有し、
前記接続部は、前記傾斜壁に設けられている、
ことを特徴とするプリンター。
【請求項１１】
請求項１０に記載のプリンターにおいて、
前記インク注入口には、インク注入の際、前記インクを収容し前記インク注入口を介して前記収容部に前記インクを注入させることが可能なインク注入用容器のノズルが挿入され、前記ノズルに設けられた位置決め部が前記インク注入口の先端と当接して前記インク注入口への前記ノズル挿入を位置決めされたとき、前記インク注入用容器と前記接続部との間に隙間があく、
ことを特徴とするプリンター。
【請求項１２】
請求項２から１１のいずれか一項に記載のプリンターにおいて、
複数の前記インク注入口を有し、
インクに関する情報を示す標識が前記インク注入口ごとに設けられている、
ことを特徴とするプリンター。
【請求項１３】
請求項１２に記載のプリンターにおいて、
前記標識は、前記筐体に付されるラベルであり、
前記ラベルの形状が、前記インク注入口ごとに異なり、
前記筐体には、それぞれの前記ラベルを貼り付ける貼付領域が設けられており、
前記貼付領域の形状が、対応付けられた前記ラベルごとに、前記ラベルの形状に応じて異なっている、
ことを特徴とするプリンター。
【請求項１４】
請求項１２又は１３に記載のプリンターにおいて、
前記複数のインク注入口の前記インク注入口ごとに設けられた前記受け皿を有し、
前記標識が前記受け皿に設けられている、
ことを特徴とするプリンター。
【請求項１５】
請求項２から１４のいずれか一項に記載のプリンターにおいて、
前記タンクは、前記筐体を介して前記タンクを視認可能な視認部を有し、
前記視認部に、インクに関する情報を示す標識が設けられており、
前記プリンターの使用姿勢で前記視認部を正面に見たときに、前記受け皿の中心を通る鉛直線と、前記視認部の前記標識の中心を通る鉛直線とが互いにずれている、
ことを特徴とするプリンター。
【請求項１６】
請求項１に記載のキャップにおいて、
前記把持部には、前記被覆部側から、前記把持部の前記被覆部側と反対側の端部に向かうにつれて、前記被覆部の領域の内側に向かう向きに傾斜する傾斜部が形成され、
前記傾斜部は、前記被覆部側から、前記把持部の前記被覆部側と反対側の端部にわたって設けられている、
ことを特徴とするキャップ。
【請求項１７】
請求項１６に記載のキャップにおいて、
前記タンクの使用姿勢において、前記インク注入口は鉛直方向に対して傾斜しており、
前記傾斜部は、前記インク注入口の傾斜に応じて傾斜している、
ことを特徴とするキャップ。
【請求項１８】
請求項１６または請求項１７に記載のキャップにおいて、
前記把持部は、
前記キャップの中心軸と交差する方向に相対向する２つの前記傾斜部と、
前記２つの傾斜部を接続し、且つ、前記インク注入口に装着するときに前記インク注入口の中心軸方向に略平行な相対向する２つの平坦部と、を有する、
ことを特徴とするキャップ。
【請求項１９】
インクを噴射可能な印刷ヘッドと、
前記印刷ヘッドに供給される前記インクを収容可能な収容部と前記収容部にインクを注入可能なインク注入口とを有するタンクと、
前記タンクの前記インク注入口を除いた部分の少なくとも一部を覆う筐体と、
前記筐体に対して開閉可能に構成され、前記筐体に対して開いた状態で、前記タンクの前記インク注入口を露出可能なカバーと、
請求項１６から１８までのいずれか一項に記載のキャップと、を備えたプリンターであって、
前記カバーは、該カバーが閉じられた状態において鉛直方向に沿って延伸する内側面を有し、
前記キャップは、前記傾斜部が、前記閉じられた状態のカバーの前記内側面と対向するように前記インク注入口に装着されたとき、前記内側面との間に隙間が設けられる、
ことを特徴とするプリンター。
【請求項２０】
請求項１９に記載のプリンターにおいて、
前記インク注入口は、前記閉じられた状態のカバーの前記内側面に向く方向に傾斜しており、
前記キャップは、前記傾斜部が前記内側面に対向するように前記インク注入口に装着され、且つ、前記カバーが閉じられた状態で、前記傾斜部が、前記カバーの前記内側面と略平行になる、
ことを特徴とするプリンター。
【請求項２１】
請求項１９または請求項２０に記載のプリンターであって、
前記キャップの前記傾斜部は、該傾斜部の接線と前記キャップの中心軸の軸線とのなす角が、前記インク注入口の先端の接線と水平線とのなす角と同じかそれより大きく形成されている、
ことを特徴とするプリンター。
【請求項２２】
インクを噴射可能な印刷ヘッドと、
前記印刷ヘッドに供給される前記インクを収容可能な収容部と前記収容部にインクを注入可能なインク注入口とを有するタンクと、
前記タンクの前記インク注入口を除いた部分の少なくとも一部を覆う筐体と、
前記タンクの前記インク注入口に装着された状態で前記インク注入口を閉塞可能なキャップを載置可能な載置面を有する受け皿と、を有し、
前記受け皿の使用姿勢において前記載置面は、傾斜しており、
前記使用姿勢において、前記キャップは、前記インク注入口に装着された状態で、前記受け皿の前記載置面の傾斜と同等に傾斜する、
ことを特徴とするプリンター。
【請求項２３】
インクを噴射可能な印刷ヘッドと、
前記印刷ヘッドに供給される前記インクを収容可能な収容部と前記収容部にインクを注入可能なインク注入口とを有するタンクと、
前記インク注入口を閉塞可能なキャップと、
前記タンクの前記インク注入口を除いた部分の少なくとも一部を覆う筐体と、を備え、
前記筐体には、前記インク注入口を露出させる開口部が区画形成されており、
前記キャップが前記インク注入口を閉塞した状態で、前記キャップと、前記開口部を区画する縁と、の間に隙間を有する、
ことを特徴とするプリンター。
【請求項２４】
請求項２３に記載のプリンターにおいて、
前記タンクの前記インク注入口の周囲に、インクを吸収可能な吸収材を備える、
ことを特徴とするプリンター。